(57)【要約】【課題】室内側のレバーハンドルが破損してレバーカムの回転操作が不能になった場合であっても、ラッチボルトを後退させて解錠可能なラッチ錠を提供する。【解決手段】扉に設置した際にラッチ錠の錠箱の前面または後面と各座板との間に形成される隙間に、リング状で外周に形成した突出部材がラッチボルトに形成された係止片に前記錠箱の前面または後面に形成した透溝を通して係止する係止突起を突設した施解錠部材が前記レバーカムと同心で且つ中央孔に角芯を通して配置されているとともに、前記座板に座板の外側から前記施解錠部材を操作するための操作部材を配置し、前記操作部材を操作して回動部材を回動し前記ラッチボルトを後退させて施解錠を可能とした。【選択図】図１
2014125866.tif 000002
【特許請求の範囲】
【請求項１】
前面に前板を備えて扉の小口に形成した堀り込みに嵌め込まれる錠箱内に、先端に前記扉の枠体に配置した受け具に嵌脱するラッチヘッドを備えて前後進可能に且つ後端に配置されたばねにより先端方向へ付勢されたラッチボルトが配置されているとともに、両端に前記扉の室内側および室外側に配置される座板に形成した円孔に嵌挿して配置されるレバーハンドルを固着するハンドル角芯を嵌挿する角形の取付孔を中心に形成して所定の角度の範囲で往復回転動を行うレバーカムが前記ラッチボルトの後部に形成した係止部の前方側に直接または作動部材を介して係止しており、前記レバーハンドルの操作によりレバーカムを回転させて前記ラッチボルトを後退させて受け具に嵌挿入しているラッチヘッドを前記前板から没入させて施解錠をさせるラッチ錠において、前記扉に設置した際に錠箱の前面または後面と前記各座板との間に形成される隙間に、リング状で外周に形成した突出部材が前記ラッチボルトに形成された係止片に前記錠箱の前面または後面に形成した透溝を通して係止する係止突起を突設した施解錠部材が前記レバーカムと同心で且つ中央孔に前記角芯を通して配置されているとともに、前記座板に座板の外側から前記施解錠部材を操作するための操作部材を配置し、前記操作部材を操作することにより前記回動部材を回動させて前記ラッチボルトを前記レバーカムの回動位置に拘わらず前記ラッチボルトを後退させて施解錠を可能としたことを特徴とするラッチ錠。
【請求項２】
前記施解錠部材または操作部材の少なくとも一方に操作部材を用いて前記ラッチボルトを解錠位置としたときに解錠位置に保持する保持手段を有していることを特徴とする請求項１に記載のラッチ錠。
【請求項３】
前記操作部材が前記レバーハンドルを嵌挿する円孔の内周に内周をレバーハンドルにおける基部の挿入部を囲む形で露出させた状態で配置されたベゼルであることを特徴とする請求項１または２に記載のラッチ錠。
【請求項４】
前記保持手段が施解錠部材と座板との間または施解錠材と錠箱との間に配置された弾圧部材からなることを特徴とする請求項３に記載のラッチ錠。
【発明の詳細な説明】
【技術分野】
【０００１】
本発明は、扉の室内側および室外側に配置したハンドルの操作によりラッチボルトを前後進させて先端に配置した錠箱の前面から突出させて扉枠に配置した受け具に出没させることにより施解錠させるラッチ錠に関するものである。
【背景技術】
【０００２】
従来から、扉の室内側および室外側に配置したハンドルの操作によりラッチボルトを前後進させて先端に配置した錠箱の前面から突出させたラッチヘッドを没入させることにより解錠させるラッチ錠が知られており、例えば室内のトイレや部屋、浴室などの室内扉に用いられている。
【０００３】
このラッチ錠は例えば図１４乃至図１６に示すように、前面に前板１１を備えて扉２の小口に形成した堀り込み（図示せず）に嵌め込まれる錠箱１に、先端に扉２の枠体に配置した受け具（図示せず）に挿脱するラッチヘッド３１を備えて前後進可能に且つ後端に配置されたばね４により先端方向へ付勢されたラッチボルト３が配置されている。
【０００４】
そして、前記錠箱１内には、前記ラッチヘッド３１の後方付近に、前記ラッチヘッド３１を前記ばね４の付勢力に抗して後方向へ移動させるレバーカム５が配置されている。
【０００５】
このレバーカム５は、中心に両端に室内側および室外側のレバーハンドル６を固着したハンドル角芯６１を嵌挿する角形の取付孔５１を有して錠箱１に回動可能に配設されており、外周の一部に突出した係合部５２を前記ラッチボルト３の後部に形成した係止プレート３２の前方側に係止状態で配置しており、室内側または室外側のレバーハンドル６を回転操作してレバーカム５を回転させることによりラッチボルト３をばね４の付勢力に抗して後退させ、先端のラッチヘッド３１を前板１１から錠箱１内に没入させて、扉枠に配置した受け具から抜けることにより解錠し、そのままの状態でレバーハドル６を前方へ押すかまたは手前に引いて扉２を開放させるものである。
【０００６】
ところで、前記ラッチ錠の従来の問題点は、扉を綴じた状態で常に施錠状態にあり、必ずレバーハンドルを操作して扉を開閉させなければならず、また、レバーハンドルに支障を来した場合には開放することができない、という問題がある。
【０００７】
そこで、例えば特開２０１０−７１０２４号公報に提示されているようにサムターン錠が施錠状態では扉を閉止することができないようにしたラッチ錠も提示されている。また、前記従来のラッチ錠において室内に入ってサムターン錠を施錠した状態で緊急脱出するのに前記サムターン錠を解錠しないでレバーハンドルを操作してラッチ錠を解錠して室外に脱出可能なラッチ錠が特開２００３−２６２０６１号公報に提示されている。
【０００８】
しかしながら、前記ラッチ錠においてサムターン錠の有無や施解錠の状態に拘わらずラッチ錠を解錠するにはレバーハンドルを操作してばねにより先端方向へ付勢されているラッチボルトを後退させる必要があり、扉をフリー、即ち、レバーハンドルを解錠操作することなしに扉の開閉を行うことができない。
【０００９】
また、地震時において室内に居る状態で、落下物等により室内側のレバーハンドルが破損したりしてレバーカムの回転操作が不能になった場合にはラッチボルトを後退させることが困難となり、室内に閉じ込められてしまうという問題があり、このような事態に対応
可能なラッチ錠は見受けられない。
【先行技術文献】
【特許文献】
【００１０】
【特許文献１】特開２０１０−７１０２４号公報
【特許文献２】特開２００３−２６２０６１号公報
【発明の概要】
【発明が解決しようとする課題】
【００１１】
本発明は前記課題を解決するためになされたものであり、レバーハンドルを操作してばねにより先端方向へ付勢されているラッチボルトを後退させることなしに扉の開閉を行うことができることが可能で、また、地震などにより室内側のレバーハンドルの操作が不能になった場合にも室内側からラッチボルトを後退させて、室内に閉じ込められてしまうという問題を解決することを課題とする。
【課題を解決するための手段】
【００１２】
前記課題を解決するためになされた本発明は、前面に前板を備えて扉の小口に形成した堀り込みに嵌め込まれる錠箱内に、先端に前記扉の枠体に配置した受け具に嵌脱するラッチヘッドを備えて前後進可能に且つ後端に配置されたばねにより先端方向へ付勢されたラッチボルトが配置されているとともに、両端に前記扉の室内側および室外側に配置される座板に形成した円孔に嵌挿して配置されるレバーハンドルを固着するハンドル角芯を嵌挿する角形の取付孔を中心に形成して所定の角度の範囲で往復回転動を行うレバーカムが前記ラッチボルトの後部に形成した係止部の前方側に直接または作動部材を介して係止しており、前記レバーハンドルの操作によりレバーカムを回転させて前記ラッチボルトを後退させて受け具に嵌挿入しているラッチヘッドを前記前板から没入させて施解錠をさせるラッチ錠において、前記扉に設置した際に錠箱の前面または後面と前記各座板との間に形成される隙間に、リング状で外周に形成した突出部材が前記ラッチボルトに形成された係止片に前記錠箱の前面または後面に形成した透溝を通して係止する係止突起を突設した施解錠部材が前記レバーカムと同心で且つ中央孔に前記角芯を通して配置されているとともに、前記座板に座板の外側から前記施解錠部材を操作するための操作部材を配置し、前記操作部材を操作することにより前記回動部材を回動させて前記ラッチボルトを前記レバーカムの回動位置に拘わらず前記ラッチボルトを後退させて施解錠を可能としたことを特徴とする。
【００１３】
本発明によれば、操作部材を操作することによりレバーハンドルを操作することなしに、施解錠が可能であり、更に、前記回転部材または操作部材の少なくとも一方に操作部材を用いて前記ラッチボルトを解錠位置としたときに解錠位置に保持する保持手段を有している場合には、常時解錠状態で扉の開閉が可能である。
【００１４】
また、本発明において、前記施解錠部材または操作部材の少なくとも一方に操作部材を用いて前記ラッチボルトを解錠位置としたときに解錠位置に保持する保持手段を有している場合には、常時解錠状態で扉の開閉を行うことができる。
【００１５】
更に、操作部材が前記レバーハンドルを嵌挿する円孔の内周に内周をレバーハンドルにおける基部の挿入部を囲む形で露出させた状態で配置されたベゼルである場合には、操作がし易いばかりか美観的にも優れているものとなる。
【００１６】
更に、前記保持手段が施解錠部材と座板との間または施解錠材と錠箱との間に配置された弾圧部材からなる構成した場合には、弾圧部材の摩擦力により移動させたラッチボルトをばねの付勢力に抗して移動位置、即ち、ラッチヘッドを没入させた状態で確実に保持させることができ、特に、例えば組み立ても簡単で保守や交換も容易である。
【発明の効果】
【００１７】
本発明によれば、ラッチ錠を施錠した状態で室内に居る際に、室内側のレバーハンドルの使用が困難となった場合にも、操作部材を操作することによりレバーハンドルを使用せずにラッチボルトを後退させてラッチ錠を解除させることができるので、使用する扉の使用目的などに合わせて操作部材を室外側または室内側の少なくとも一方に配置しておくことにより室外側または室内側からの閉じ込みを防止することができるばかりか、扉を無錠状態として使用することも可能である。
【図面の簡単な説明】
【００１８】
【図１】本発明における好ましい実施の形態の使用状態を示す説明図である。
【図２】図１に示した実施の形態におけるレバーハンドルを外した状態の説明図である。
【図３】図１に示した実施の形態における施錠時の縦断面図である。
【図４】図１に示した実施の形態における解錠時の縦断面図である。
【図５】図１に示した実施の形態における分解した状態を示す異なる斜視図である。
【図６】本発明における異なる実施の形態の使用状態を示す説明図である。
【図７】図１に示した実施の形態における施錠時の異なる縦断面図である。
【図８】図１に示した実施の形態における解錠時の異なる縦断面図である。
【図９】本発明における操作部材が異なる実施の形態の正面図である。
【図１０】本発明における操作部材が異なる実施の形態の正面図である。
【図１１】本発明における操作部材が異なる実施の形態の正面図である。
【図１２】本発明における操作部材が異なる実施の形態の正面図である。
【図１３】本発明における操作部材が異なる実施の形態の正面図である。
【図１４】従来例の使用状態を示す説明図である。
【図１５】図１４に示した従来例の施錠状態を示す縦断面図である。
【図１６】図１４に示した従来例の解錠状態を示す縦断面図である。
【発明を実施するための形態】
【００１９】
以下に、図面を参照しながら本発明を実施するための形態を説明する。
【００２０】
図１乃至図８は、本発明の好ましい実施の形態を示すものであり、基本的には前記従来のラッチ錠とほぼ同様に、前面に前板１１を備えて扉２の小口に形成した堀り込みに嵌め込まれる錠箱１内に、先端に扉２の枠体に配置した受け具（図示せず）に嵌脱するラッチヘッド３１を備えて前後進可能に且つ後端に配置されたばね４により先端方向へ付勢されたラッチボルト３が配置されているとともに、両端に前記扉２の室内側および室外側に配置される座板７に形成した円孔７１に嵌挿して配置されるレバーハンドル６を固着するハンドル角芯６１を嵌挿する角形の取付孔５１を中心に形成して回転止め５３，５４により所定の角度の範囲で往復回転動を行うレバーカム５が前記ラッチボルト３の後部に形成した係止部３２の前方側に回転リンク機構を形成する作動部材５５を介して係止しており、レバーハンドル６の操作によりレバーカム５を回転させてラッチボルト３を後退させることにより受け具（図示せず）に嵌挿入しているラッチヘッド３１を前記前板１１から没入させて施解錠をするものである。
【００２１】
そして、本実施の形態では、扉２に設置した際に錠箱１の前面１２または後面１３と各座板７，７との間に形成される隙間Ｓに、前記ラッチボルト３に形成された最後方のもう一つの係止片３２ａに前記錠箱１の前面１２または後面１３に形成した透溝１４を通して係止する係止突起８を外周に突設するとともにレバーカム５と同心で且つ中央孔８３に角芯６１を通して配置されているとともに座板７の外側から施解錠部材８を操作するための
リング状の操作部材９が座板７に形成されている円孔７１に回動可能に配置されている。
【００２２】
この操作部材９はレバーハンドル６を嵌挿する座板７の円孔７１の内周に内周をレバーハンドル６における基部６２の挿入部を囲む形で露出させた状態で配置されたベゼルにより形成されている。
【００２３】
尚、本実施の形態では互いに差し込み嵌装可能な施解錠部材８の内周と操作部材９の外周に形成された嵌挿溝８４と嵌装突起９２とにより嵌装着されており、施解錠部材８を隙間Ｓに装着した状態で座板７を扉２に固着した状態で後から装着することができるので取付けが容易である。
【００２４】
以上の構成による本実施の形態では、前述のように、レバーカム５により施解錠するための係合部５３はラッチボルト３に形成された係止プレート３２の前方側に係止していることから、操作部材９を操作して施解錠部材８によりラッチボルト３を最高後のもう１つの係止プレート３２ａの前方に係止した係止突起８２により後方に移動させることになるので、レバーカム５の位置、即ち、レバーハンドル６による施解錠状態に拘わらず解錠或いは施錠することができる。従って、例えば、レバーハンドル６よる施解錠機構に支障を来した場合にも前記操作部材９を回動操作することにより施錠を解除して扉２を開閉することが可能となる。
【００２５】
更に、本実施の形態では、前記施解錠部材８に操作部材を使用して施解錠部材８を回動させたときにラッチボルト３をその移動位置に保持させるための保持手段１０を備えている。
【００２６】
本実施の形態では、保持手段１０は施解錠部材８の前面に形成した筒状溝８５に嵌挿したコイルばね８６とその先端に配置したボール８７とからなり、これを座板７の裏面７２に少なくとも前記ばね４の付勢力に抗して施解錠部材を保持させるような圧接力を発揮させることにより、施解錠部材８を操作部材９の回動位置に保持させるようになっているが、保持手段１０は、ばね４の付勢力に抗して施解錠部材を保持させるような保持力を発揮させることができればよく、例えば、板ばねや弾性材などの他の部材を用いたり、また、例えば座板との接触部や嵌挿部など設置箇所も問わない。
【００２７】
そのため、ラッチ３を後方に移動させてラッチヘッド３１を前板１１没入させた状態で保持させることによりラッチボルト３を解錠状態で保持することができることから扉２をフリーの状態で開閉作動させることか可能であり、一々、レバーハンドル６を操作することなしに扉２を開閉することができる。
【００２８】
尚、保持手段１０を備えた場合には操作部材９の解除位置でラッチボルト３を保持させることが可能であるが、ばね４が作用しないため一旦、解錠操作した場合には操作部材９を回動させてラッチボルト３を本の位置に復帰させる。
【００２９】
図９乃至図１４は、操作部材９が異なる本発明の実施の形態を示すものであり、図９に示すものは操作部材９が座板７に付設された回転式の操作摘により形成されるもの、図１０に示すものは操作部材９が座板７に付設されたスライド式の操作摘により形成されるもの、図１１に示すものは操作部材９が座板７に付設された押しボタンにより形成されるもので、特に、１つの押しボタンで施錠と解錠の操作が可能なもの、図１２に示すものは操作部材９が座板７に付設された押しボタンにより形成されるもので施錠と解錠がそれぞれ別の押しボタンとなっているもの、図１３に示すものは、ラッチボルト３が操作部材９を兼ねるものであり、ラッチボルト３を押し込んで施解錠部材８（図示せず）を操作するものである。このように本発明においては、各種の操作部材９を採用することができる。
【符号の説明】
【００３０】
１  錠箱、２  扉、３  ラッチボルト、４  ばね、５  レバーカム、６  レバーハンドル、７  座板、８  施解錠部材、９  操作部材、１１  前板、１２  前面、１３  裏面、３１  ラッチヘッド、３２  係止プレート、３２ａ  係止プレート、５２  係合部、６１
角芯、７１  円孔
【図１】
2014125866.tif 000003
【図２】
2014125866.tif 000004
【図３】
2014125866.tif 000005
【図４】
2014125866.tif 000006
【図５】
2014125866.tif 000007
【図６】
2014125866.tif 000008
【図７】
2014125866.tif 000009
【図８】
2014125866.tif 000010
【図９】
2014125866.tif 000011
【図１０】
2014125866.tif 000012
【図１１】
2014125866.tif 000013
【図１２】
2014125866.tif 000014
【図１３】
2014125866.tif 000015
【図１４】
2014125866.tif 000016
【図１５】
2014125866.tif 000017
【図１６】
2014125866.tif 000018